(57)【要約】【課題】十分な剛性を確保できると共に、コスト及び重量の拡大を抑えることができる、脚立等における支柱と踏桟との接合構造を提供する。【解決手段】脚立等における断面略コ字状型材からなる支柱１の左右側壁１ａ，１ｂ間に、角筒状型材又は断面略コ字状型材からなる踏桟２の端部を嵌合挿入して、リベット又はボルトにより接合する脚立等における支柱１と踏桟２との接合構造において、踏桟２の端部には、支柱１の側壁１ａ，１ｂに隣接する踏桟２の側壁２ａ，２ｂと夫々面一状に延びる端部拡大補強側壁部３ａ，３ｂを有する補助部材３が取り付けられている。【選択図】図２
2006144359.tif 000002
【特許請求の範囲】
【請求項１】
脚立等における断面略コ字状型材からなる支柱の左右側壁間に、角筒状型材又は断面略コ字状型材からなる踏桟の端部を嵌合挿入して、リベット又はボルトにより接合するようにした、脚立等における支柱と踏桟との接合構造において、踏桟の端部には、支柱の側壁に隣接する踏桟の側壁と夫々面一状に延びる端部拡大補強側壁部を有する補助部材が取り付けられていることを特徴とする脚立等における支柱と踏桟との接合構造。
【請求項２】
脚立等における断面略コ字状型材からなる支柱の左右側壁間に、角筒状型材又は断面略コ字状型材からなる踏桟の端部を嵌合挿入して、リベット又はボルトにより接合するようにした、脚立等における支柱と踏桟との接合構造において、踏桟の端部には、支柱の側壁に隣接する踏桟の側壁と夫々面一状に延びる端部拡大補強側壁部が一体に形成されていることを特徴とする脚立等における支柱と踏桟との接合構造。
【請求項３】
請求項２に記載の脚立等における支柱と踏桟との接合構造において、端部拡大補強側壁部は、踏桟の全長に亘って拡大補強側壁部を形成した断面略コ字状踏桟用型材の両端側壁部分を残して、その中間部分を切除加工することにより形成されることを特徴とする。
【発明の詳細な説明】
【技術分野】
【０００１】
本発明は、脚立、踏台、梯子、作業台等における支柱と踏桟との接合構造に関するものである。
【背景技術】
【０００２】
例えば作業台の両端部にある梯子は、図１に示すように、一対の支柱１，１と、両支柱１，１間に横架される複数の踏桟２とによって構成され、各支柱１は、断面略コ字状型材からなるもので、この支柱１の左右側壁１ａ，１ｂ間に、角筒状型材又は断面略コ字状型材からなる踏桟２の端部を嵌合挿入して、この踏桟２の端部をリベット又はボルトにより接合するようになっている。
【０００３】
而して、従来における支柱と踏桟との接合構造として、特許公報等の公知文献を具体的に挙げることはできないが、従来より採用されている接合構造には、図５の(a) 〜(d) に示すようなものがある。図５の(a) は踏桟２を単独で支柱１にリベット２０によって接合する接合構造を示し、(b) 及び(c) は支柱１と踏桟２との接合部に補助部材２１，２２を追加して補強し、リベット２０で接合する接合構造を示し、また(d) は踏桟２全体を大型化することにより支柱との接合面を拡大してリベット２０で接合する接合構造を示している。
【発明の開示】
【発明が解決しようとする課題】
【０００４】
上記従来の接合構造において、踏桟２を単独で支柱１に接合する構造では、支柱１との接合面が小さいため、十分な剛性を確保することができなくなる。この場合、溶接構造にすれば十分な剛性は得られるが、破損時等の脱着交換が必要であれば、溶接構造は極力避けたい構造である。また支柱１と踏桟２との接合部に補助部材２１，２２を追加して補強する構造によれば、比較的容易に剛性を確保し易いが、補助部材２１，２２の追加加工が発生し、脱着交換が必要な製品では加工者の錬度や、器具において交換後の完成度が不安定になって、十分な剛性が確保できない場合が多く、補修が必要な場合には不適切である。また、踏桟２全体を大型化して支柱との接合面を拡大する手法は、踏桟２の不要な大型化が伴うことになり、コストの拡大や重量の拡大の問題を発生することになる。
【０００５】
本発明は、上記の課題に鑑み、十分な剛性を確保できると共に、コスト及び重量の拡大を抑えることができる脚立等における支柱と踏桟との接合構造を提供することを目的とする。
【課題を解決するための手段】
【０００６】
上記課題を解決するための手段を、後述する実施形態の参照符号を付して説明すると、請求項１に係る発明は、脚立等における断面略コ字状型材からなる支柱１の左右側壁１ａ，１ｂ間に、角筒状型材又は断面略コ字状型材からなる踏桟２の端部を嵌合挿入して、リベット又はボルトにより接合するようにした、脚立等における支柱１と踏桟２との接合構造において、踏桟２の端部には、支柱１の側壁１ａ，１ｂに隣接する踏桟２の側壁２ａ，２ｂと夫々面一状に延びる端部拡大補強側壁部３ａ，３ｂを有する補強部材３が取り付けられていることを特徴とする。尚、支柱１を形成する断面略コ字状型材は、左右側壁１ａ，１ｂと、一重壁又は内外の二重壁からなる背面壁１ｃとによって略コ字状に形成されるものとする。
【０００７】
請求項２に係る発明は、脚立等における断面略コ字状型材からなる支柱１の左右側壁１ａ，１ｂ間に、角筒状型材又は断面略コ字状型材からなる踏桟２の端部を嵌合挿入して、リベット又はボルトにより接合するようにした、脚立等における支柱１と踏桟２との接合構造において、踏桟２の端部には、支柱１の側壁１ａ，１ｂに隣接する踏桟２の側壁２ａ，２ｂと夫々面一状に延びる端部拡大補強側壁部３ａ，３ｂが一体に形成されていることを特徴とする。
【０００８】
請求項３は、請求項２に記載の脚立等における支柱と踏桟との接合構造において、端部拡大補強側壁部３ａ，３ｂは、踏桟２の全長に亘って拡大補強側壁部３Ａ，３Ｂを形成した断面略コ字状踏桟用型材の両端側壁部分を残して、その中間部分Ｍａ，Ｍｂを切除加工することにより形成されることを特徴とする。
【発明の効果】
【０００９】
上記解決手段による発明の効果を、後述する実施形態の参照符号を付して説明すると、請求項１に係る発明によれば、支柱１の側壁１ａ，１ｂに隣接する踏桟２の側壁２ａ，２ｂと夫々面一状に延びる端部拡大補強側壁部３ａ，３ｂを有する補助部材３を、予め踏桟２の端部に一体的に取り付けているから、このような踏桟２と支柱１と踏桟２との接合構造は、端部拡大補強側壁部３ａ，３ｂにより踏桟２の端部が拡大されて十分な剛性を確保できる。また、端部拡大補強側壁部３ａ，３ｂが踏桟２の端部に事前に取り付けられて、踏桟２と一体化されることにより、接合作業が簡単容易となって、コストの低減化を図ることができると共に、補修部材の合理化を図ることができて補修作業も容易となる。また、端部拡大補強側壁部３ａ，３ｂは踏桟２の端部のみに取り付けられるものであるから、図５の(d) に示すように踏桟全体を大型化して支柱との接合面を拡大する従来の手法に比べて、コスト及び重量を低く抑えることができる。
【００１０】
また、この発明の接合構造によれば、端部拡大補強側壁部３ａ，３ｂは踏桟２に対して脱着の必要性が全くないので、端部拡大補強側壁部３ａ，３ｂを踏桟２に対し、溶接、リベット、接着等の完全固着手段によって取り付けることが可能となり、図５の(b) ，(c)
に示すように補助部材２１，２２を追加して補強する従来の接合構造よりも大きな剛性を容易に得ることができる。
【００１１】
請求項２に係る発明のように、踏桟２の端部に、支柱１の側壁１ａ，１ｂに隣接する踏桟２の側壁２ａ，２ｂと夫々面一状に延びる端部拡大補強側壁部３ａ，３ｂが一体に形成されている場合は、支柱１と踏桟２とを接合するにあたって、端部拡大補強側壁部３ａ，３ｂを有する部材を踏桟２の端部に取り付ける必要がないため、接合作業が簡単となり、コストの低減を図ることができると共に重量の軽減を図ることができ、また端部拡大補強側壁部３ａ，３ｂが踏桟２の側壁２ａ，２ｂと一体に形成されているため、一層大きな剛性が得られる。
【００１２】
請求項３に係る発明によれば、踏桟２全長に亘って拡大補強側壁部３Ａ，３Ｂを形成した踏桟用型材の中間部分Ｍａ，Ｍｂを切除加工することによって、踏桟２の端部拡大補強側壁部３ａ，３ｂを簡単容易に形成することができる。
【発明を実施するための最良の形態】
【００１３】
以下に本発明の好適実施形態を図面に基づいて説明すると、図１は作業台の側面図で、作業台の両端部にある梯子状脚体Ｈを示し、この梯子状脚体Ｈは、一対の支柱１，１と、両支柱１，１間に複数段に横架される踏桟２とにより構成される。図２の(a) は図１の矢印イで示す部分の拡大図で、本発明に係る支柱１と踏桟２との接合構造の一実施形態を示し、(b) は接合前の状態で、踏桟２の端部側を支柱１に接合している状態を示す。また、同図の(c) は支柱１の横断面図、(d) は踏桟２の端部側をより詳細に示す正面図、(e) は(d) に示す踏桟２の右側面図である。
【００１４】
支柱１は、図２の(c) に示すように、左右両側壁１ａ，１ｂと背面壁１ｃとによって断面略コ字状に形成されるアルミ押出型材からなる。各踏桟２は、図２の(e) に示すように、支柱１の左右側壁１ａ，１ｂに夫々隣接する左右側壁２ａ，２ｂと、踏面となる傾斜状上壁２ｃと下壁２ｄとによって角筒状に形成されるアルミ押出型材からなるもので、各踏桟２の端部には、図２の(b) ，(c) ，(e) から分かるように、支柱１の左右側壁１ａ，１ｂに隣接する踏桟２の側壁２ａ，２ｂと夫々面一状に延びる端部拡大補強側壁部３ａ，３ｂを有する補助部材３が取り付けられている。尚、この支柱１を形成する断面略コ字状型材は、この実施形態では、図２の(c) に示すように背面壁１ｃが一重壁からなるものしか示していないが、この背面壁１ｃが内側壁と外側壁の二重壁からなる型材も含むものとする。
【００１５】
補助部材３は、図２の(e) に示すように、踏桟２の側壁２ａ，２ｂと夫々面一状に延びる左右の端部拡大補強側壁部３ａ，３ｂと、両端部拡大補強側壁部３ａ，３ｂをつなぐ底壁部３ｃとによって断面略コ字状に形成されるアルミ押出型材からなるもので、底壁部３ｃを踏桟２の下壁１ｄとをリベット４で結合することによって、踏桟２に一体的に取り付けられる。
【００１６】
支柱１と踏桟２及び補助部材３とはリベット接合されることから、その接合部にはリベット孔４，５が設けられる。即ち、支柱１の側壁２ａ，２ｂにリベット孔５が、また踏桟２の各側壁２ａ，２ｂの先端部及び補助部材３の各端部拡大補強側壁部３ａ，３ｂの先端部に夫々リベット孔６が設けられる。図３の(a) は両端部に夫々補助部材３を取り付けた踏桟２の全体を示す正面図である。
【００１７】
而して、支柱１と踏桟２とを接合するには、図２の(b) に示すように、支柱１の左右側壁１ａ，１ｂ間に、補助部材３を取り付けた踏桟２の端部を嵌合挿入し、リベット孔５，６間にリベット７を挿通してリベット接合し、図２の(a) 及び(e) に示すような接合構造とする。
【００１８】
上記のように、支柱１と踏桟２とを接合するにあたり、支柱１の側壁１ａ，１ｂに隣接する踏桟２の側壁２ａ，２ｂと夫々面一状に延びる端部拡大補強側壁部３ａ，３ｂを有する補助部材３を、予め踏桟２の端部に一体的に取り付けるようにしたから、こうして接合される支柱１と踏桟２との接合構造は、端部拡大補強側壁部３ａ，３ｂにより踏桟２の端部が拡大されて十分な剛性を確保できる。また、端部拡大補強側壁部３ａ，３ｂが踏桟２の端部に事前に取り付けられて、踏桟２と一体化されることにより、接合作業が簡単容易となって、コストの低減化を図ることができると共に、補修部材の合理化を図ることができて補修作業が容易となる。また、端部拡大補強側壁部３ａ，３ｂは踏桟２の端部のみに取り付けられるものであるから、図５の(d) に示すように踏桟全体を大型化して支柱との接合面を拡大する従来の手法に比べて、コスト及び重量を低く抑えることができる。
【００１９】
踏桟２の端部の拡大は単に大きな接合面を得るだけでなく、図３の(b) に示すように、両支柱１，１を接続する仮想交差線８の傾斜を大きくすることで、はしご面剛性に最も効果的な斜め補強効果を得ることができる。
【００２０】
また、この接合構造によれば、端部拡大補強側壁部３ａ，３ｂは踏桟２に対して脱着の必要性が全くないので、端部拡大補強側壁部３ａ，３ｂを踏桟２に対し、溶接、リベット、接着等の完全固着手段によって取り付けることが可能となり、図５の(b) ，(c) に示すように補助部材２１，２２を追加して補強する従来の接合構造よりも大きな剛性を容易に得ることができる。
【００２１】
この実施形態の補助部材３は、左右両端部拡大補強側壁部３ａ，３ｂと、両端部拡大補強側壁部３ａ，３ｂを一体につなぐ底壁部３ｃとによって断面略コ字状に形成されるアルミ押出型材からなるものであるが、このようなコ字状型材に限るものではなく、図示は省略するが、踏桟２の側壁２ａ，２ｂと夫々面一状に延びる左右一対の端部拡大補強側壁部と、各端部拡大補強側壁部に一体に突設されて、踏桟２の各下壁１ｄにリベット結合又はボルト結合される一対の取付部片とから構成されるものでもよい。
【００２２】
図４は両端部に端部拡大補強側壁部３ａ，３ｂを一体に形成した踏桟２を支柱１に接合する場合の支柱と踏桟との接合構造を示し、(a) は図２の(a) と同様に端部拡大補強側壁部３ａ，３ｂを一体形成した踏桟２の端部を支柱１に接合した接合構造を示し、(b) は接合前の状態で、踏桟２の端部側を支柱１に接合している状態を示し、また、(c) は踏桟２の端部側をより詳細に示す正面図、(d) は(c) に示す踏桟２の右側面図である。
【００２３】
この図４に示す踏桟２の端部拡大補強側壁部３ａ，３ｂは、(c) から分かるように、踏桟２の全長に亘って拡大補強側壁部３Ａ，３Ｂ（仮想線図示）を形成した踏桟用アルミ押出型材の両端側壁部分（端部拡大補強側壁部３ａ，３ｂに相当する部分）を残して、その中間部分Ｍａ，Ｍｂをプレス加工により切除することによって形成される。尚、この際、切除加工された踏桟用アルミ押出型材の中間部分Ｍａ，Ｍｂは、溶かして再使用されることになる。
【００２４】
上記のように踏桟２全長に亘って拡大補強側壁部３Ａ，３Ｂを形成した踏桟用型材の中間部分Ｍａ，Ｍｂを切除加工することによって、踏桟２の端部拡大補強側壁部３ａ，３ｂを簡単容易に形成することができる。
【００２５】
この踏桟２と支柱１とを接合するには、図４の場合と全く同じく、図４の(b) に示すように支柱１の左右側壁１ａ，１ｂ間に、端部拡大補強側壁部３ａ，３ｂを一体形成した踏桟２の端部を嵌合挿入し、リベット孔５，６間にリベット７を挿通してリベット接合し、図４の(a) 及び(d) に示すような接合構造とする。
【００２６】
図２及び図４によって説明した接合構造では、支柱１と踏桟２とをリベット接合しているが、このリベット接合に代えて、ボルト接合でもよい。また、ボルト接合する場合は、踏桟２の側壁２ａ，２ｂや端部拡大補強側壁部３ａ，３ｂのボルト接合部分にナット等の雌ねじ部材を予め一体的に取り付けるようにしてもよい。
【図面の簡単な説明】
【００２７】
【図１】作業台の側面図で、作業台の両端部にある梯子状脚体を示す。
【図２】(a) は図１の矢印イで示す部分の拡大図で、本発明に係る支柱と踏桟との接合構造の一実施形態を示し、(b) は接合前の状態で、踏桟の端部側を支柱に接合している状態を示し、(c) は支柱の横断面図、(d) は踏桟の端部側をより詳細に示す正面図、(e)は(d) に示す踏桟の右側面図である。
【図３】(a) は両端部に補助部材を取り付けた踏桟の全体を示す正面図、(b) は両支柱を接続する仮想交差線を説明する説明図である。
【図４】両端部に端部拡大補強側壁部を一体形成した踏桟を支柱に接合する場合の接合構造を示し、(a) は端部拡大補強側壁部を一体形成した踏桟の端部を支柱に接合した接合構造を示し、(b) は接合前の状態で、踏桟の端部側を支柱に接合している状態を示し、また、(c) は踏桟の端部側をより詳細に示す正面図、(d) は(c) に示す踏桟の右側面図である。
【図５】(a) 〜(d) は従来の種々の接合構造を示す説明図である。
【符号の説明】
【００２８】
１                支柱
１ａ，１ｂ        支柱の側壁
２                踏桟
２ａ，２ｂ        踏桟の側壁
３                補助部材
３ａ，３ｂ        端部拡大補強側壁部
【図１】
2006144359.tif 000003
【図２】
2006144359.tif 000004
【図３】
2006144359.tif 000005
【図４】
2006144359.tif 000006
【図５】
2006144359.tif 000007